(57)【特許請求の範囲】
【請求項１】
水を沸き上げて貯湯タンクに供給する沸き上げ手段と、
第１時間帯に前記沸き上げ手段に水を沸き上げさせる第１沸き上げ制御手段と、
前記第１時間帯よりも電気料金が割安な第２時間帯に前記沸き上げ手段に水を沸き上げさせる第２沸き上げ制御手段と、
前記沸き上げ手段による水の沸き上げを、前記第１時間帯の設定開始時刻から前記第２時間帯の開始時刻まで毎日禁止する沸き上げ禁止手段と、
前記設定開始時刻を使用者が設定するための時刻設定手段と、
を備える給湯機。
【請求項２】
前記沸き上げ禁止手段の有効状態と無効状態とを切り替える切り替え手段を備え、
前記沸き上げ禁止手段は、前記切り替え手段によって有効状態にされている場合のみ前記沸き上げ手段による水の沸き上げを禁止する請求項１に記載の給湯機。
【請求項３】
一定時間経過後に自動で解除される動作機能を設定するための機能設定手段を備え、
前記沸き上げ禁止手段は、前記動作機能が前記機能設定手段によって設定されてから前記一定時間経過後に解除されるまでの間は、前記設定開始時刻から前記第２時間帯の前記開始時刻までにおいても前記沸き上げ手段による水の沸き上げを禁止しない請求項１または請求項２に記載の給湯機。
【請求項４】
前記貯湯タンクに貯留された水のもつ熱量を算出する蓄熱量算出手段を備え、
前記沸き上げ禁止手段は、前記沸き上げ手段による水の沸き上げを禁止している時に前記蓄熱量算出手段によって算出された熱量が第１規定熱量を下回ると前記沸き上げ手段による水の沸き上げの禁止を解除する請求項１から請求項３の何れか１項に記載の給湯機。
【請求項５】
前記貯湯タンクに貯留された水のもつ熱量を算出する蓄熱量算出手段と、
前記貯湯タンクに貯留された水を使用して浴槽への湯張りを行う湯張り手段と、
前記浴槽の中の水を加温する追い焚き手段と、
前記沸き上げ禁止手段によって前記沸き上げ手段による水の沸き上げが禁止されている時に前記蓄熱量算出手段によって算出された熱量が第２規定熱量を下回ると前記湯張り手段による湯張り及び前記追い焚き手段による水の加温を禁止する湯張り追い焚き制御手段と、
を備える請求項１から請求項３の何れか１項に記載の給湯機。
【請求項６】
前記貯湯タンクに貯留された水のもつ熱量を算出する蓄熱量算出手段を備え、
前記沸き上げ禁止手段は、前記設定開始時刻において前記蓄熱量算出手段によって算出された熱量が第３規定熱量を下回っている場合には前記沸き上げ手段による水の沸き上げの禁止を開始せず、前記設定開始時刻から前記第２時間帯の前記開始時刻までの間に前記蓄熱量算出手段によって算出された熱量が第３規定熱量以上になった場合に前記沸き上げ手段による水の沸き上げの禁止を開始する請求項１または請求項２に記載の給湯機。
【請求項７】
前記貯湯タンクに貯留された水を使用して浴槽への湯張りを行う湯張り手段と、
前記浴槽の中の水を加温する追い焚き手段と、
を備え、
前記沸き上げ禁止手段は、当日の前記設定開始時刻までに前記湯張り手段による湯張り又は前記追い焚き手段による水の加温が一度も行われていない場合には前記沸き上げ手段による水の沸き上げの禁止を前記設定開始時刻に開始せず、当日の前記設定開始時刻から前記第２時間帯の前記開始時刻までの間で前記湯張り手段による湯張り又は前記追い焚き手段による水の加温が行われた時点で前記沸き上げ手段による水の沸き上げの禁止を開始する請求項１または請求項２に記載の給湯機。
【発明の詳細な説明】
【技術分野】
【０００１】
本発明は、給湯機に関する。
【背景技術】
【０００２】
特許文献１に、貯湯式給湯機が記載されている。特許文献１に記載の貯湯式給湯機は、加熱手段、制御装置及びリモコンを備える。制御装置は、自動沸き上げ機能を有する。制御装置は、自動沸き上げ機能によって、加熱手段に水を沸き上げさせる。リモコンはエコ停止設定ボタンを有する。使用者は、エコ停止設定ボタンを操作することによって、当日の深夜時間帯になるまで自動沸き上げ機能を一時停止させることができる。これにより、昼間時間帯における無駄な沸き上げが防止される。
【先行技術文献】
【特許文献】
【０００３】
【特許文献１】特開２００７―２８５６５８号公報
【発明の概要】
【発明が解決しようとする課題】
【０００４】
上記特許文献１に記載の貯湯式給湯機において使用者は、自動沸き上げ機能を一時停止させたい時点でエコ停止設定ボタンを操作する必要がある。また、例えば毎日自動沸き上げ機能を一時停止させる場合には、使用者はエコ停止設定ボタンを毎日一時停止させたい時点で操作する必要がある。上記特許文献１に記載の貯湯式給湯機では、自動沸き上げ機能を停止させるための使用者の負担が大きいという課題がある。
【０００５】
本発明は、上記のような課題を解決するためになされた。本発明の目的は、使用者の負担を大きくすることなく無駄な沸き上げを防止することができる給湯機を提供することである。
【課題を解決するための手段】
【０００６】
本発明に係る給湯機は、水を沸き上げて貯湯タンクに供給する沸き上げ手段と、第１時間帯に沸き上げ手段に水を沸き上げさせる第１沸き上げ制御手段と、第１時間帯よりも電気料金が割安な第２時間帯に沸き上げ手段に水を沸き上げさせる第２沸き上げ制御手段と、沸き上げ手段による水の沸き上げを、第１時間帯の設定開始時刻から第２時間帯の開始時刻まで毎日禁止する沸き上げ禁止手段と、設定開始時刻を使用者が設定するための時刻設定手段と、を備える。
【発明の効果】
【０００７】
本発明に係る給湯機は、沸き上げ手段による水の沸き上げを、第１時間帯の設定開始時刻から第２時間帯の規定時刻まで禁止する沸き上げ禁止手段と、設定開始時刻を設定するための時刻設定手段と、を備える。このため、本発明に係る給湯機は、使用者の負担を大きくすることなく無駄な沸き上げを防止することができる。
【図面の簡単な説明】
【０００８】
【図１】本発明の実施の形態１の給湯機の構成図である。
【図２】本発明の実施の形態１の制御装置の制御手順を示すフローチャートである。
【図３】本発明の実施の形態２の制御装置の制御手順を示すフローチャートである。
【図４】本発明の実施の形態３の制御装置の制御手順を示すフローチャートである。
【図５】本発明の実施の形態４の制御装置の制御手順を示すフローチャートである。
【図６】本発明の実施の形態５の制御装置の制御手順を示すフローチャートである。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態１の給湯機の構成図である。給湯機は、ヒートポンプユニット１と貯湯ユニット２とを備える。ヒートポンプユニット１と貯湯ユニット２とは、配管によって接続される。
【００１１】
ヒートポンプユニット１は、内部に圧縮機、給湯用熱交換器、膨張弁及び空気熱交換器を備える。圧縮機、給湯用熱交換器、膨張弁及び空気熱交換器は、順に冷媒配管で接続される。圧縮機、給湯用熱交換器、膨張弁、空気熱交換器及び冷媒配管は冷凍サイクルシステムを構成する。ヒートポンプユニット１は、冷凍サイクルシステムによって水を沸き上げる。ヒートポンプユニット１は、本発明の沸き上げ手段の一例である。ヒートポンプユニット１は、沸き上げた水を貯湯ユニット２へ供給する。
【００１２】
貯湯ユニット２は、貯湯タンク３及び熱交換器４を備える。また貯湯ユニット２は、ヒートポンプ循環ポンプ５、タンク循環ポンプ６及び風呂循環ポンプ７を備える。また貯湯ユニット２は、一般給湯側混合弁８、風呂給湯側混合弁９及び電磁弁１０を備える。
【００１３】
貯湯タンク３は、内部に水を貯留する。貯湯タンク３は、上下で温度差を生じるように水を貯留する。貯湯タンク３の上部には、高温の水が貯留される。また貯湯タンク３の下部には、低温の水が貯留される。
【００１４】
貯湯タンク３は、下部にヒートポンプ往き口３ａ、給水口３ｂ及び追い焚き戻り口３ｃを有する。また貯湯タンク３は、上部にヒートポンプ戻り口３ｄ、給湯口３ｅ及び追い焚き往き口３ｆを有する。
【００１５】
貯湯タンク３の外面には、第１温度センサ１１ａ、第２温度センサ１１ｂ、第３温度センサ１１ｃ及び第４温度センサ１１ｄがそれぞれ異なる取り付け高さに設けられる。第１温度センサ１１ａ、第２温度センサ１１ｂ、第３温度センサ１１ｃ及び第４温度センサ１１ｄは、例えば上部から下部へと順に設けられる。第１温度センサ１１ａ、第２温度センサ１１ｂ、第３温度センサ１１ｃ及び第４温度センサ１１ｄは、それぞれ設けられた位置の水の温度を検知する。
【００１６】
第１温度センサ１１ａは、例えば貯湯タンク３の満容量から０Ｌの位置に設けられる。第２温度センサ１１ｂは、例えば貯湯タンク３の満容量から５０Ｌの位置に設けられる。第３温度センサ１１ｃは、例えば貯湯タンク３の満容量から１００Ｌの位置に設けられる。第４温度センサ１１ｄは、例えば貯湯タンク３の満容量から１５０Ｌの位置に設けられる。なお貯湯タンク３の外面に設けられる温度センサの個数は、本例の４つ以外の個数としてもよい。
【００１７】
ヒートポンプ往き口３ａには、ヒートポンプ往き配管１２の一端が接続される。ヒートポンプ往き配管１２の他端は、ヒートポンプユニット１の流入口に接続される。またヒートポンプユニット１の流出口には、ヒートポンプ戻り配管１３の一端が接続される。ヒートポンプ戻り配管１３の他端は、ヒートポンプ戻り口３ｄに接続される。ヒートポンプ往き配管１２及びヒートポンプ戻り配管１３は、ヒートポンプユニット１と貯湯ユニット２とを繋ぐ。
【００１８】
ヒートポンプ往き配管１２には、ヒートポンプ循環ポンプ５が設けられる。ヒートポンプ循環ポンプ５は、貯湯タンク３の下部から低温の水を取り出す。貯湯タンク３の下部から取り出された水は、ヒートポンプ往き配管１２を介してヒートポンプユニット１へ供給される。ヒートポンプユニット１は、供給された水を沸き上げる。
【００１９】
ヒートポンプユニット１によって沸き上げられた水は、ヒートポンプ戻り配管１３を介して貯湯タンク３の上部へ供給される。貯湯タンク３は、ヒートポンプユニット１によって沸き上げられた水を貯留する。ヒートポンプ往き配管１２及びヒートポンプ戻り配管１３は、加熱循環回路１４を構成する。
【００２０】
ヒートポンプ往き配管１２には、第５温度センサ１１ｅが設けられる。第５温度センサ１１ｅは、ヒートポンプ往き配管１２内の水の温度を検知する。第１温度センサ１１ａ、第２温度センサ１１ｂ、第３温度センサ１１ｃ、第４温度センサ１１ｄ及び第５温度センサ１１ｅは、貯湯タンク３に貯留された水のもつ熱量を検出するための装置である。
【００２１】
ヒートポンプ戻り配管１３とヒートポンプ戻り口３ｄとの接続部には、貯湯タンク温度センサ１５が設けられる。貯湯タンク温度センサ１５は、ヒートポンプユニット１から貯湯タンク３へ供給される水の温度を検知する。なお貯湯タンク温度センサ１５は、貯湯タンク３の外面のうちヒートポンプ戻り口３ｄの近傍等に設けられてもよい。
【００２２】
貯湯ユニット２は、給水管１６によって貯湯ユニット２外部の水源と繋がれている。水源は、水道等である。水源には、給水管１６の一端が接続される。給水管１６の他端は、貯湯ユニット２の内部の第１分岐点１６ａで２つに分岐する。
【００２３】
給水管１６には、水源と第１分岐点１６ａとの間で給水温度センサ１７が設けられる。給水温度センサ１７は、給水管１６を流れる水の温度を検知する。
【００２４】
第１分岐点１６ａで２つに分岐した給水管１６の一方は、給水口３ｂに接続される。第１分岐点１６ａで２つに分岐した給水管１６の他方は、第２分岐点１６ｂで再び２つに分岐する。第２分岐点１６ｂで２つに分岐した給水管１６の一方は、一般給湯側混合弁８に接続される。また第２分岐点１６ｂで２つに分岐した給水管１６の他方は、風呂給湯側混合弁９に接続される。
【００２５】
給湯口３ｅには、給湯管１８の一端が接続される。給湯管１８の他端は、第３分岐点１８ａで２つに分岐する。第３分岐点１８ａで２つに分岐した給湯管１８の一方は、一般給湯側混合弁８に接続される。また第３分岐点１８ａで２つに分岐した給湯管１８の他方は、風呂給湯側混合弁９に接続される。
【００２６】
一般給湯側混合弁８には、混合給湯管１９の一端が接続される。混合給湯管１９の他端は、貯湯ユニット２外部の出湯端末へ接続される。出湯端末は、蛇口及びシャワー等である。一般給湯側混合弁８には、給水管１６から低温の水が供給される。また一般給湯側混合弁８には、給湯管１８から高温の水が供給される。一般給湯側混合弁８は、供給された低温の水と高温の水とを混合する。一般給湯側混合弁８は、適正温度の水を生成する。一般給湯側混合弁８は、適正温度の水を、混合給湯管１９を介して出湯端末へ供給する。
【００２７】
混合給湯管１９には、一般給湯側混合弁８と出湯端末との間に、給湯用流量センサ２０と給湯用温度センサ２１とが順に設けられる。給湯用流量センサ２０は、混合給湯管１９を流れる水の流量を検知する。給湯用温度センサ２１は、混合給湯管１９を流れる水の温度を検知する。なお給湯用流量センサ２０と給湯用温度センサ２１とは、上記例と順を逆にして設けられてもよい。
【００２８】
風呂給湯側混合弁９には、混合風呂管２２の一端が接続される。混合風呂管２２の他端には、風呂往き配管２３の一端が接続される。風呂往き配管２３の他端は、浴槽アダプタ等を介して貯湯ユニット２外部の浴槽へ接続される。
【００２９】
風呂給湯側混合弁９には、給水管１６から低温の水が供給される。また風呂給湯側混合弁９には、給湯管１８から高温の水が供給される。風呂給湯側混合弁９は、供給された低温の水と高温の水とを混合する。風呂給湯側混合弁９は、適正温度の水を生成する。風呂給湯側混合弁９は、適正温度の水を、混合風呂管２２及び風呂往き配管２３を介して浴槽へ供給する。
【００３０】
混合風呂管２２には、電磁弁１０が設けられる。また混合風呂管２２には、電磁弁１０と風呂往き配管２３との間に、風呂用流量センサ２４が設けられる。風呂用流量センサ２４は、混合風呂管２２を流れる水の流量を検知する。混合風呂管２２と風呂往き配管２３との接続部には、風呂用温度センサ２５が設けられる。風呂用温度センサ２５は、混合風呂管２２または風呂往き配管２３を流れる水の温度を検知する。
【００３１】
また風呂往き配管２３には、混合風呂管２２との接続部に、風呂循環配管２６の一端が接続される。風呂循環配管２６の他端は、熱交換器４の二次側流出口に接続される。熱交換器４の二次側流入口には、風呂戻り配管２７の一端が接続される。風呂戻り配管２７の他端は、浴槽アダプタ等を介して貯湯ユニット２外部の浴槽へ接続される。風呂往き配管２３、風呂循環配管２６及び風呂戻り配管２７は、風呂循環回路２８を構成する。
【００３２】
風呂戻り配管２７には、風呂循環ポンプ７が設けられる。風呂循環ポンプ７は、風呂循環回路２８に浴槽内の水を循環させる。なお風呂循環ポンプ７は、風呂往き配管２３あるいは風呂循環配管２６に設けられてもよい。
【００３３】
追い焚き往き口３ｆには、タンク往き配管２９の一端が接続される。タンク往き配管２９の他端は、熱交換器４の一次側流入口に接続される。熱交換器４の一次側流出口には、タンク戻り配管３０の一端が接続される。タンク戻り配管３０の他端は、追い焚き戻り口３ｃに接続される。タンク往き配管２９及びタンク戻り配管３０は、タンク循環回路３１を構成する。
【００３４】
タンク戻り配管３０には、タンク循環ポンプ６が設けられる。タンク循環ポンプ６は、タンク循環回路３１に貯湯タンク３内の水を循環させる。なおタンク循環ポンプ６は、タンク往き配管２９に設けられても良い。
【００３５】
また本実施の形態の給湯機は、制御装置３２を備える。制御装置３２は、貯湯ユニット２の内部に設けられる。制御装置３２は、貯湯ユニット２外部のリモートコントローラー３３と電気的に接続される。制御装置３２とリモートコントローラー３３とは、相互通信が可能である。なお制御装置３２は、貯湯ユニット２の外部等に設けられてもよい。
【００３６】
リモートコントローラー３３は、例えば操作部３３ａ、切り替えスイッチ３３ｂ及び表示部３３ｃ等を有する。操作部３３ａ及び切り替えスイッチ３３ｂは、使用者が給湯機を操作するために設けられる。また表示部３３ｃは、給湯機の状態表示を行う。
【００３７】
制御装置３２は、ヒートポンプユニット１と電気的に接続される。制御装置３２とヒートポンプユニット１とは、相互通信が可能である。制御装置３２は、ヒートポンプユニット１を制御する。
【００３８】
制御装置３２は、ヒートポンプ循環ポンプ５、タンク循環ポンプ６、風呂循環ポンプ７、一般給湯側混合弁８、風呂給湯側混合弁９及び電磁弁１０と電気的に接続される。制御装置３２は、ヒートポンプ循環ポンプ５、タンク循環ポンプ６、風呂循環ポンプ７、一般給湯側混合弁８、風呂給湯側混合弁９及び電磁弁１０を制御する。
【００３９】
制御装置３２は、第１温度センサ１１ａ、第２温度センサ１１ｂ、第３温度センサ１１ｃ、第４温度センサ１１ｄ及び第５温度センサ１１ｅと電気的に接続される。制御装置３２は、第１温度センサ１１ａ、第２温度センサ１１ｂ、第３温度センサ１１ｃ、第４温度センサ１１ｄ及び第５温度センサ１１ｅから、水の温度の情報を取得する。
【００４０】
制御装置３２は、貯湯タンク温度センサ１５、給水温度センサ１７、給湯用温度センサ２１及び風呂用温度センサ２５と電気的に接続される。制御装置３２は、貯湯タンク温度センサ１５、給水温度センサ１７、給湯用温度センサ２１及び風呂用温度センサ２５から、水の温度の情報を取得する。
【００４１】
制御装置３２は、給湯用流量センサ２０及び風呂用流量センサ２４と電気的に接続される。制御装置３２は、給湯用流量センサ２０及び風呂用流量センサ２４から、水の流量の情報を取得する。
【００４２】
また制御装置３２は、湯張り追い焚き制御部３２ａ、蓄熱量算出部３２ｂ、使用熱量算出部３２ｃ、目標熱量算出部３２ｄ、夜間沸き上げ制御部３２ｅ、昼間沸き上げ制御部３２ｆ、沸き上げ禁止制御部３２ｇ及び時刻設定部３２ｈを備える。
【００４３】
湯張り追い焚き制御部３２ａは、風呂給湯側混合弁９及び電磁弁１０を制御する。制御装置３２には、例えば使用者が操作部３３ａを操作することによって湯張り機能が設定される。本実施の形態の給湯機は、制御装置３２に湯張り機能が設定されることによって湯張り動作を開始する。湯張り追い焚き制御部３２ａは、湯張り動作の際、風呂給湯側混合弁９を動作させる。また湯張り追い焚き制御部３２ａは、湯張り動作の際、電磁弁１０を開状態にする。
【００４４】
湯張り追い焚き制御部３２ａは、風呂給湯側混合弁９に、適正温度の水を生成させる。適正温度は、使用者がリモートコントローラー３３を操作することによって、湯張り追い焚き制御部３２ａに設定される。風呂給湯側混合弁９は、風呂用温度センサ２５が検知する温度を適正温度とするように、低温の水と高温の水とを混合する。風呂給湯側混合弁９は、適正温度の水を浴槽へ供給する。
【００４５】
湯張り追い焚き制御部３２ａは、風呂給湯側混合弁９に、浴槽への湯張り量が設定湯張り量となるまで適正温度の水を供給させる。設定湯張り量は、使用者がリモートコントローラー３３を操作することによって、湯張り追い焚き制御部３２ａに設定される。湯張り追い焚き制御部３２ａは、風呂用流量センサ２４から取得した情報に基づいて、浴槽への湯張り量を算出する。制御装置３２は、浴槽への湯張り量が設定湯張り量となると、電磁弁１０を閉状態にする。電磁弁１０が閉状態になることにより、湯張り動作が終了する。
【００４６】
制御装置３２に設定された湯張り機能は、湯張り動作が終了すると解除される。本実施の形態における湯張り機能は、一定時間経過後に自動で解除される動作機能の一例である。また操作部３３ａは、機能設定手段の一例である。
【００４７】
また湯張り追い焚き制御部３２ａは、タンク循環ポンプ６及び風呂循環ポンプ７を制御する。本実施の形態の給湯機は、使用者がリモートコントローラー３３を操作することによって追い焚き動作を開始する。制御装置３２は、追い焚き動作の際、タンク循環ポンプ６及び風呂循環ポンプ７を駆動させる。
【００４８】
タンク循環ポンプ６が駆動すると、貯湯タンク３内の高温の水が追い焚き往き口３ｆから取り出される。追い焚き往き口３ｆから取り出された高温の水は、タンク往き配管２９を介して熱交換器４の一次側に流入する。また風呂循環ポンプ７が駆動すると、浴槽から水が取り出される。浴槽から取り出された水は、風呂戻り配管２７を介して熱交換器４の二次側に流入する。
【００４９】
熱交換器４は、熱交換器４の一次側を流れる高温の水と熱交換器４の二次側を流れる水との間で熱交換を行う。熱交換器４の一次側を流れる水は温度が低下する。熱交換器４の二次側を流れる水は加温される。熱交換器４の一次側を流れる温度が低下した水は、タンク戻り配管３０を介して追い焚き戻り口３ｃから貯湯タンク３内へ戻される。熱交換器４の二次側を流れる加温された水は、風呂循環配管２６及び風呂往き配管２３を介して浴槽へ戻される。これにより浴槽の水が加温される。
【００５０】
湯張り追い焚き制御部３２ａは、風呂用温度センサ２５が検知する温度が適正温度となると、タンク循環ポンプ６及び風呂循環ポンプ７を停止する。適正温度は、使用者がリモートコントローラー３３を操作することによって、湯張り追い焚き制御部３２ａに設定される。タンク循環ポンプ６及び風呂循環ポンプ７が停止することにより、追い焚き動作が終了する。
【００５１】
本実施の形態において風呂給湯側混合弁９及び電磁弁１０は、貯湯タンク３に貯留された水を使用して浴槽への湯張りを行う湯張り手段の一例である。またタンク循環ポンプ６及び風呂循環ポンプ７は、浴槽の中の水を加温する追い焚き手段の一例である。湯張り追い焚き制御部３２ａは、湯張り手段及び追い焚き手段を制御する湯張り追い焚き制御手段の一例である。
【００５２】
蓄熱量算出部３２ｂは、貯湯タンク３に貯留された水のもつ熱量を算出する。蓄熱量算出部３２ｂは、蓄熱量算出手段の一例である。蓄熱量算出部３２ｂは、第１温度センサ１１ａ、第２温度センサ１１ｂ、第３温度センサ１１ｃ、第４温度センサ１１ｄ及び第５温度センサ１１ｅから取得した情報に基づいて貯湯タンク３に貯留された水のもつ熱量を算出する。蓄熱量算出部３２ｂによって算出される熱量を、以下では単に蓄熱量と呼称する。
【００５３】
使用熱量算出部３２ｃは、使用熱量を算出する。使用熱量は、一定期間に貯湯タンク３から使用された水の熱量である。一定期間は、例えば一週間である。一定期間は、予め使用熱量算出部３２ｃに記憶される。なお一定期間は、リモートコントローラー３３によって、任意の期間として使用熱量算出部３２ｃに設定されるとしてもよい。
【００５４】
使用熱量算出部３２ｃは、給水温度センサ１７、給湯用流量センサ２０、給湯用温度センサ２１、風呂用流量センサ２４及び風呂用温度センサ２５から取得した情報に基づいて、使用熱量を算出する。
【００５５】
目標熱量算出部３２ｄは、使用熱量算出部３２ｃによって算出された使用熱量に基づいて目標熱量を算出する。目標熱量は、例えば一日の間に使用されると予測される熱量である。目標熱量算出部３２ｄは、例えば一定期間における一日あたりの使用熱量の平均値を目標熱量として算出する。なお目標熱量算出部３２ｄは、一定期間における一日あたりの使用熱量の最大値等を目標熱量として算出してもよい。
【００５６】
夜間沸き上げ制御部３２ｅは、ヒートポンプユニット１を制御する。夜間沸き上げ制御部３２ｅは、夜間時間帯にヒートポンプユニット１に水を沸き上げさせる。夜間沸き上げ制御部３２ｅは、本発明の第２沸き上げ制御手段の一例である。
【００５７】
夜間時間帯は、例えば２４時間の中で電気料金単価の割安な時間帯として設定される時間帯である。夜間時間帯は、例えば２３時から７時までとして設定される。夜間時間帯は、第２時間帯の一例である。夜間時間帯は、予め夜間沸き上げ制御部３２ｅに設定される。なお夜間時間帯は、リモートコントローラー３３によって、任意の時間帯として夜間沸き上げ制御部３２ｅに設定されるとしてもよい。
【００５８】
夜間沸き上げ制御部３２ｅは、目標熱量算出部３２ｄによって算出された目標熱量に応じて、夜間時間帯にヒートポンプユニット１に水を沸き上げさせる。夜間沸き上げ制御部３２ｅは、夜間時間帯の夜間沸き上げ開始時刻になると、ヒートポンプユニット１に水を沸き上げさせる。夜間沸き上げ開始時刻は、予め夜間沸き上げ制御部３２ｅに設定される。夜間沸き上げ制御部３２ｅは、夜間時間帯が終了するまでに蓄熱量を目標熱量以上とするように、ヒートポンプユニット１を制御する。これにより、貯湯タンク３には、夜間時間帯の間に目標熱量が確保される。
【００５９】
なお夜間沸き上げ開始時刻は、リモートコントローラー３３によって、夜間時間帯の任意の時間として設定されるとしてもよい。また夜間沸き上げ開始時刻は、夜間沸き上げ制御部３２ｅによって、目標熱量及びヒートポンプユニット１の加熱能力等に基づいて算出されるとしてもよい。夜間沸き上げ制御部３２ｅは、夜間沸き上げ開始時刻を日によって変動させるとしてもよい。
【００６０】
昼間沸き上げ制御部３２ｆは、ヒートポンプユニット１を制御する。昼間沸き上げ制御部３２ｆは、昼間時間帯にヒートポンプユニット１に水を沸き上げさせる。昼間沸き上げ制御部３２ｆは、本発明の第１沸き上げ制御手段の一例である。
【００６１】
昼間時間帯は、夜間時間帯ではない時間帯として設定される。昼間時間帯は、例えば２４時間の中で夜間時間帯に比べて電気料金単価の割高な時間帯として設定される時間帯である。昼間時間帯は、例えば７時から２３時までとして設定される。昼間時間帯は、第１時間帯の一例である。昼間時間帯は、予め昼間沸き上げ制御部３２ｆに設定される。なお昼間時間帯は、リモートコントローラー３３によって、任意の時間帯として昼間沸き上げ制御部３２ｆに設定されるとしてもよい。
【００６２】
昼間沸き上げ制御部３２ｆは、昼間時間帯に蓄熱量が起動熱量を下回るとヒートポンプユニット１に水を沸き上げさせる。起動熱量は、ヒートポンプユニット１に水の沸き上げを開始させる閾値である。起動熱量は、昼間沸き上げ制御部３２ｆに予め設定される。起動熱量は、例えば４２℃換算で３００Ｌの水がもつ熱量として設定される。
【００６３】
昼間沸き上げ制御部３２ｆは、ヒートポンプユニット１に水の沸き上げを開始させた後に蓄熱量が終了熱量を上回ると、ヒートポンプユニット１に水の沸き上げを終了させる。終了熱量は、ヒートポンプユニット１による水の沸き上げを終了させる閾値である。終了熱量は、昼間沸き上げ制御部３２ｆに予め設定される。終了熱量は、例えば４２℃換算で３５０Ｌの水がもつ熱量として設定される。
【００６４】
沸き上げ禁止制御部３２ｇは、ヒートポンプユニット１を制御する。沸き上げ禁止制御部３２ｇは、ヒートポンプユニット１による水の沸き上げを、設定開始時刻から規定時刻まで禁止する。設定開始時刻は、昼間時間帯の時刻として設定される。規定時刻は、夜間時間帯の時刻として設定される。本実施の形態において規定時刻は、夜間時間帯の開始時刻として設定される。沸き上げ禁止制御部３２ｇは、本発明の沸き上げ禁止手段の一例である。
【００６５】
沸き上げ禁止制御部３２ｇは、例えば切り替えスイッチ３３ｂによって、有効状態と無効状態とに切り替えられる。切り替えスイッチ３３ｂは、切り替え手段の一例である。沸き上げ禁止制御部３２ｇは、有効状態にされているときのみ、ヒートポンプユニット１による水の沸き上げを禁止する。沸き上げ禁止制御部３２ｇは、無効状態にされているときは、ヒートポンプユニット１による水の沸き上げを禁止しない。
【００６６】
時刻設定部３２ｈは、設定開始時刻を設定するために設けられる。設定開始時刻は、例えばリモートコントローラー３３によって入力される。リモートコントローラー３３によって入力された設定開始時刻は、時刻設定部３２ｈに記憶される。沸き上げ禁止制御部３２ｇは、時刻設定部３２ｈに記憶された設定開始時刻から規定時刻まで、ヒートポンプユニット１による水の沸き上げを禁止する。時刻設定部３２ｈは、本発明の時刻設定手段の一例である。
【００６７】
次に本実施の形態における制御装置３２の制御手順について説明する。図２は、制御装置３２の制御手順を示すフローチャートである。制御装置３２は、現在時刻が昼間時間帯であるか判定する（ステップＳ１）。
【００６８】
制御装置３２は、現在時刻が昼間時間帯でないと判定した場合、ステップＳ１の判定を継続する。制御装置３２は、現在時刻が昼間時間帯であると判定した場合、沸き上げ禁止制御部３２ｇが有効状態であるか判定する（ステップＳ２）。
【００６９】
制御装置３２は、沸き上げ禁止制御部３２ｇが有効状態であると判定した場合、現在時刻が時刻設定部３２ｈに設定された設定開始時刻に到達しているか判定する（ステップＳ３）。
【００７０】
制御装置３２は、現在時刻が設定開始時刻に到達していると判定した場合、沸き上げ禁止制御部３２ｇによって、ヒートポンプユニット１による水の沸き上げを禁止する（ステップＳ４）。沸き上げ禁止制御部３２ｇは、ヒートポンプユニット１による水の沸き上げを禁止すると、現在時刻が夜間時間帯であるか判定する（ステップＳ５）。
【００７１】
沸き上げ禁止制御部３２ｇは、現在時刻が夜間時間帯でないと判定した場合、ステップＳ５の判定を継続する。沸き上げ禁止制御部３２ｇは、ヒートポンプユニット１による水の沸き上げの禁止を継続する。沸き上げ禁止制御部３２ｇは、ステップＳ５で現在時刻が夜間時間帯であると判定した場合、ヒートポンプユニット１による水の沸き上げの禁止を解除する(ステップＳ６)。
【００７２】
ヒートポンプユニット１による水の沸き上げの禁止が解除された後、夜間沸き上げ制御部３２ｅは、夜間沸き上げ開始時刻になるとヒートポンプユニット１に水を沸き上げさせる（ステップＳ７）。夜間沸き上げ制御部３２ｅは、夜間時間帯に蓄熱量を目標熱量以上とするように、ヒートポンプユニット１を制御する。制御装置３２は、夜間時間帯におけるヒートポンプユニット１による水の沸き上げが終了すると、再びステップＳ１の判定を実施する。
【００７３】
制御装置３２は、ステップＳ２で沸き上げ禁止制御部３２ｇが有効状態でないと判定した場合、昼間沸き上げ制御部３２ｆによって、蓄熱量が起動熱量を下回っているか判定する。同様に制御装置３２は、ステップＳ３で現在時刻が設定開始時刻に到達していないと判定した場合にも、昼間沸き上げ制御部３２ｆによって蓄熱量が起動熱量を下回っているか判定する（ステップＳ８）。
【００７４】
昼間沸き上げ制御部３２ｆは、蓄熱量が起動熱量を下回っていると判定した場合、ヒートポンプユニット１に水の沸き上げを開始させる（ステップＳ９）。昼間沸き上げ制御部３２ｆは、ヒートポンプユニット１に水の沸き上げを開始させると、蓄熱量が終了熱量を上回っているか判定する（ステップＳ１０）。
【００７５】
昼間沸き上げ制御部３２ｆは、蓄熱量が終了熱量を上回っていないと判定した場合、ステップＳ１０の判定を継続する。昼間沸き上げ制御部３２ｆは、ヒートポンプユニット１による水の沸き上げを継続させる。昼間沸き上げ制御部３２ｆは、蓄熱量が終了熱量を上回っていると判定した場合、ヒートポンプユニット１に水の沸き上げを終了させる（ステップＳ１１）。
【００７６】
制御装置３２は、ステップＳ１１でヒートポンプユニット１による水の沸き上げが終了すると、現在時刻が夜間時間帯であるか判定する。同様に制御装置３２は、ステップＳ８で蓄熱量が起動熱量を下回っていないと判定した場合にも、現在時刻が夜間時間帯であるか判定する（ステップＳ１２）。
【００７７】
制御装置３２は、ステップＳ１２で現在時刻が夜間時間帯であると判定した場合、上述したステップＳ７を実施する。また制御装置３２は、ステップＳ１２で現在時刻が夜間時間帯でない、すなわち昼間時間帯であると判定した場合、上述したステップＳ２を実施する。
【００７８】
制御装置３２は、上述したステップＳ１からステップＳ１２を繰り返し実施する。これにより沸き上げ禁止制御部３２ｇは、ヒートポンプユニット１による水の沸き上げを、設定開始時刻から夜間時間帯の開始時刻まで禁止する。本実施の形態において夜間時間帯の開始時刻は、本発明の規定時刻の一例である。
【００７９】
本実施の形態の給湯機では、夜間時間帯に貯湯タンク３内に目標熱量を確保するように水の沸き上げが行われる。ヒートポンプユニット１による水の沸き上げは、基本的に夜間時間帯に行われる。夜間時間帯は、昼間時間帯に比べて電気料金が割安な時間帯である。本実施の形態であれば、使用者は経済的に給湯機を使用することができる。
【００８０】
本実施の形態の給湯機の使用者は、沸き上げを止めたい任意の時刻を設定開始時刻として設定する。設定開始時刻は、時刻設定部３２ｈに設定される。沸き上げ禁止制御部３２ｇは、設定開始時刻から夜間時間帯の開始時刻まで、ヒートポンプユニット１による水の沸き上げを禁止する。設定開始時刻から夜間時間帯の開始時刻までは昼間時間帯である。昼間沸き上げ制御部３２ｆは、設定開始時刻から夜間時間帯の開始時刻までの昼間時間帯において、ヒートポンプユニット１に水を沸き上げさせない。
【００８１】
設定開始時刻は、例えば使用者の家族全員の入浴が終了する２０時として設定される。
入浴終了後から夜間時間帯の開始時刻までの時間帯は、多くの熱量を必要としない昼間時間帯である。本実施の形態の給湯機は、多くの熱量を必要としない昼間時間帯での沸き上げを禁止する。昼間時間帯は電気料金の割高な時間帯である。本実施の形態の給湯機は、電気料金の割高な時間帯における無駄な沸き上げを防止できる。
【００８２】
使用者は、時刻設定部３２ｈに設定開始時刻を事前に設定することによって、無駄な沸き上げを防止することができる。使用者は、無駄な沸き上げを防止したいタイミング毎に操作を実行する必要がない。また使用者によって設定された設定開始時刻は、時刻設定部３２ｈに記憶される。これにより、例えば無駄な沸き上げを毎日防止したい場合でも、使用者は毎日操作を実行する必要がない。使用者は、事前に設定を行うことによって、無駄な沸き上げを防止したい日毎に操作をすることなく、無駄な沸き上げを防止することができる。上記構成を採用することにより、本実施の形態であれば、使用者の負担を大きくすることなく無駄な沸き上げを防止することができる給湯機が得られる。
【００８３】
使用者は、生活状態に応じた任意の時間として設定開始時刻を設定することができる。また電気料金が割安な夜間時間帯と電気料金が割高な昼間時間帯とは、使用者の電気契約形態によって異なる。夜間時間帯と昼間時間帯とは、例えば使用者の電気契約形態に応じて、リモートコントローラー３３によって設定されるとしてもよい。本例であれば、電気料金の割高な時間帯における無駄な沸き上げを使用者の生活状態に応じて防止できる。
【００８４】
本実施の形態の沸き上げ禁止制御部３２ｇは、切り替えスイッチ３３ｂによって有効状態と無効状態とに切り替えられる。沸き上げ禁止制御部３２ｇは、有効状態になっている場合のみヒートポンプユニット１による水の沸き上げを禁止する。沸き上げ禁止制御部３２ｇは、無効状態になっている場合にはヒートポンプユニット１による水の沸き上げを禁止しない。
【００８５】
沸き上げ禁止制御部３２ｇは、ヒートポンプユニット１による水の沸き上げを禁止している時に無効状態に切り替えられた場合、ヒートポンプユニット１による水の沸き上げの禁止を解除するとしてもよい。これにより使用者は、任意の時点でヒートポンプユニット１による水の沸き上げの禁止を解除することができる。また沸き上げ禁止制御部３２ｇは、有効状態と無効状態とに切り替えられなくてもよい。沸き上げ禁止制御部３２ｇは、例えば常時有効状態であるとしてもよい。
【００８６】
また制御装置３２には、例えば操作部３３ａによって満タン機能が設定されるとしてもよい。制御装置３２は、満タン機能が設定されると、ヒートポンプユニット１に水の沸き上げを行わせる。ヒートポンプユニット１は、高温の水が貯湯タンク３の満容量まで貯留されるように沸き上げを行う。
【００８７】
制御装置３２は、満タン機能が設定されている場合、蓄熱量が一定量減るごとにヒートポンプユニット１に水の沸き上げを行わせる。一定量は、例えば４２℃換算で１００Ｌの水がもつ熱量として設定される。ヒートポンプユニット１は、蓄熱量が一定量減るごとに、高温の水が貯湯タンク３の満容量まで貯留されるように水の沸き上げを繰り返す。
【００８８】
制御装置３２に設定された満タン機能は、夜間時間帯の開始時刻に解除される。本例における満タン機能は、一定時間経過後に自動で解除される動作機能の一例である。また操作部３３ａは、機能設定手段の一例である。
【００８９】
満タン機能が設定されている場合、貯湯タンク３に貯留された水のもつ熱量は高い値に維持される。使用者は、満タン機能によって、過去の一定期間において使用した高温の水の量に比べて多量の高温の水が急に必要になった場合にも対応することができる。
【００９０】
沸き上げ禁止制御部３２ｇは、制御装置３２に満タン機能が設定されてから解除されるまでの間は、ヒートポンプユニット１による水の沸き上げを禁止しないとしてもよい。沸き上げ禁止制御部３２ｇは、例えばヒートポンプユニット１による水の沸き上げを禁止している時に満タン機能が設定された場合、ヒートポンプユニットによる水の沸き上げの禁止を解除する。沸き上げ禁止制御部３２ｇは、満タン機能が設定されてから解除されるまでの間は、設定開始から規定時刻までにおいても、ヒートポンプユニット１による水の沸き上げを禁止しない。
【００９１】
本例であれば使用者は、満タン機能を設定することによってヒートポンプユニット１による水の沸き上げの禁止を実施しないようにすることができる。これにより、高温の水が急に多量に必要になった場合において湯切れが発生する可能性が低減される。また使用者は、沸き上げ禁止制御部３２ｇを有効状態としたまま、沸き上げの禁止を解除できる。また満タン機能は、夜間時間帯の開始時刻に自動で解除される。使用者は、満タン機能を使用した翌日以降は、新たな操作を行うことなくヒートポンプユニット１による水の沸き上げを禁止できる。本例であれば、使用者は、大きな負担を必要とせずに、高温の水が急に多量に必要になった場合に対応することができる。
【００９２】
なお本例における満タン機能は一定時間経過後に自動で解除される動作機能の一例である。一定時間経過後に自動で解除される動作機能は、満タン機能以外のものとしてもよい。例えば湯張り機能によってヒートポンプユニット１による水の沸き上げの禁止が解除される場合には、湯張りを原因とした湯切れが発生する可能性が低減される。
【００９３】
本実施の形態において起動熱量は、昼間沸き上げ制御部３２ｆに予め設定される。起動熱量は、例えば昼間沸き上げ制御部３２ｆによってヒートポンプユニット１が水の沸き上げを実施した後に元の値から引き下げられるとしてもよい。起動熱量は、例えば初期状態において４２℃換算で３００Ｌの水がもつ熱量として設定される。昼間沸き上げ制御部３２ｆは、例えばヒートポンプユニット１に水を沸き上げさせた後に、起動熱量を４２℃換算で２００Ｌの水がもつ熱量に引き下げる。
【００９４】
また起動熱量及び終了熱量は、リモートコントローラー３３によって任意の熱量として設定されるとしてもよい。また起動熱量及び終了熱量は、昼間沸き上げ制御部３２ｆによって、使用熱量、目標熱量及びヒートポンプユニット１の加熱能力等に基づいて算出されるとしてもよい。昼間沸き上げ制御部３２ｆは、起動熱量及び終了熱量を日によって変動させるとしてもよい。
【００９５】
本実施の形態において規定時刻は、夜間時間帯の開始時刻として設定される。規定時刻は本例以外にも、リモートコントローラー３３によって夜間時間帯の任意の時間として設定されるとしてもよい。また規定時刻は、例えば夜間沸き上げ開始時刻としてもよい。例えば集合住宅において複数の家庭がそれぞれ給湯機を使用する。規定時刻をそれぞれの給湯機毎に異なる時刻にすることにより、沸き上げの禁止が同時に解除されることが防止される。それぞれの給湯機が同時に沸き上げを開始することが防止される。本例であれば、複数の給湯機が同時に沸き上げを開始することによる電力負荷の集中が防止される。
【００９６】
なお上記実施の形態における昼間時間帯は、本発明の第１時間帯の一例である。また夜間時間帯は、第１時間帯よりも電気料金が割安な第２時間帯の一例である。第１時間帯は、例えば電気料金の形態等に応じて昼間時間帯以外の時間帯としてもよい。第２時間帯は、第１時間帯に比べて電気料金が割安な時間帯であれば、夜間時間帯以外の時間帯としてもよい。
【００９７】
実施の形態２．
次に、本発明の実施の形態２について説明する。本実施の形態の給湯機の構成は、実施の形態１と同様に図１で示される。図３は、本実施の形態の制御装置３２の制御手順を示すフローチャートである。図３のステップＳ１３からステップＳ１６は、実施の形態１のステップＳ１からステップＳ４に相当する。ステップＳ１９からステップＳ２０は、実施の形態１のステップＳ６からステップＳ７に相当する。ステップＳ２２からステップＳ２６は、実施の形態１のステップＳ８からステップＳ１２に相当する。
【００９８】
ステップＳ１３からステップＳ１６の動作は、実施の形態１のステップＳ１からステップＳ４の動作と同様のため、説明を省略する。沸き上げ禁止制御部３２ｇは、ステップＳ１６でヒートポンプユニット１による水の沸き上げを禁止すると、蓄熱量が第１規定熱量以上であるか判定する（ステップＳ１７）。第１規定熱量は、沸き上げ禁止制御部３２ｇに予め設定される。なお第１規定熱量は、リモートコントローラー３３によって任意の熱量として設定されるとしてもよい。
【００９９】
沸き上げ禁止制御部３２ｇは、蓄熱量が第１規定熱量以上であると判定した場合、現在時刻が夜間時間帯であるか判定する（ステップＳ１８）。沸き上げ禁止制御部３２ｇは、現在時刻が夜間時間帯であると判定した場合、ヒートポンプユニット１による水の沸き上げの禁止を解除する(ステップＳ１９)。
【０１００】
ステップＳ１９からステップＳ２０の動作は、実施の形態１のステップＳ６からステップＳ７の動作と同様のため、説明を省略する。沸き上げ禁止制御部３２ｇは、ステップＳ１８で現在時刻が夜間時間帯でないと判定した場合、ステップＳ１７の判定を再び行う。
【０１０１】
沸き上げ禁止制御部３２ｇは、ステップＳ１７で蓄熱量が第１規定熱量を下回っていると判定した場合、ヒートポンプユニット１による水の沸き上げの禁止を解除する（ステップＳ２１）。制御装置３２は、ヒートポンプユニット１による水の沸き上げの禁止が解除されると、昼間沸き上げ制御部３２ｆによって蓄熱量が起動熱量を下回っているか判定する（ステップＳ２２）。ステップＳ２２からステップＳ２６の動作は、実施の形態１のステップＳ８からステップＳ１２の動作と同様のため、説明を省略する。
【０１０２】
本実施の形態の制御装置３２は、ステップＳ１３からステップＳ２６を繰り返し実施する。沸き上げ禁止制御部３２ｇは、ヒートポンプユニット１による水の沸き上げを禁止している時に蓄熱量が第１規定熱量を下回ると、ヒートポンプユニット１による水の沸き上げの禁止を解除する。
【０１０３】
沸き上げ禁止制御部３２ｇは、ヒートポンプユニット１による水の沸き上げを禁止している時に蓄熱量が第１規定熱量以上の場合には、ヒートポンプユニット１による水の沸き上げの禁止を継続する。沸き上げ禁止制御部３２ｇは、夜間時間帯の開始時刻に、ヒートポンプユニット１による水の沸き上げの禁止を解除する。なお夜間時間帯の開始時刻は、規定時刻の一例である。規定時刻は、実施の形態１と同様に、夜間時間帯の開始時刻以外の時刻としてもよい。
【０１０４】
第１規定熱量が起動熱量に比べて大きい熱量として設定された場合、貯湯タンク３には起動熱量が確保される。第１規定熱量が起動熱量に比べて小さい熱量として設定された場合、貯湯タンク３には第１規定熱量が確保される。貯湯タンク３には、一定の熱量が確保される。これにより、本例であれば、ヒートポンプユニット１による水の沸き上げが禁止されていることを原因とする湯切れが発生する可能性が低減される。
【０１０５】
なお沸き上げ禁止制御部３２ｇは、上記ステップＳ２１において無効状態に切り替わるとしてもよい。沸き上げ禁止制御部３２ｇは、無効状態に切り替わることによって、ヒートポンプユニット１による水の沸き上げの禁止を解除するとしてもよい。
【０１０６】
実施の形態３．
次に、本発明の実施の形態３について説明する。本実施の形態の給湯機の構成は、実施の形態１及び実施の形態２と同様に図１で示される。図４は、本実施の形態の制御装置３２の制御手順を示すフローチャートである。図４のステップＳ２７からステップＳ３０は、実施の形態１のステップＳ１からステップＳ４に相当する。ステップＳ３４からステップＳ３５は、実施の形態１のステップＳ６からステップＳ７に相当する。ステップＳ３６からステップＳ４０は、実施の形態１のステップＳ８からステップＳ１２に相当する。
【０１０７】
ステップＳ２７からステップＳ３０の動作は、実施の形態１のステップＳ１からステップＳ４の動作と同様のため、説明を省略する。またステップＳ３６からステップＳ４０の動作は、実施の形態１のステップＳ８からステップＳ１２の動作と同様のため、説明を省略する。制御装置３２は、ステップＳ３０でヒートポンプユニット１による水の沸き上げが禁止されると、湯張り追い焚き制御部３２ａによって、蓄熱量が第２規定熱量を下回っているか判定する（ステップＳ３１）。
【０１０８】
第２規定熱量は、湯張り動作あるいは追い焚き動作が行われるために必要な熱量として設定される。第２規定熱量は、例えば４２℃換算で１５０Ｌの水がもつ熱量として設定される。第２規定熱量は、湯張り追い焚き制御部３２ａに予め設定される。なお第２規定熱量は、リモートコントローラー３３によって任意の熱量として設定されるとしてもよい。
【０１０９】
湯張り追い焚き制御部３２ａは、蓄熱量が第２規定熱量を下回っていると判定した場合、湯張り動作及び追い焚き動作を禁止する（ステップＳ３２）。湯張り動作及び追い焚き動作が禁止されると、沸き上げ禁止制御部３２ｇは、現在時刻が夜間時間帯であるか判定する。同様に沸き上げ禁止制御部３２ｇは、ステップＳ３１で蓄熱量が第２規定熱量を下回っていないと判定された場合にも、現在時刻が夜間時間帯であるか判定する（ステップＳ３３）。
【０１１０】
沸き上げ禁止制御部３２ｇは、現在時刻が夜間時間帯であると判定した場合、ヒートポンプユニット１による水の沸き上げの禁止を解除する(ステップＳ３４)。ステップＳ３４からステップＳ３５の動作は、実施の形態１のステップＳ６からステップＳ７の動作と同様のため、説明を省略する。湯張り追い焚き制御部３２ａは、ステップＳ３３で現在時刻が夜間時間帯でないと判定された場合、ステップＳ３１の判定を再び行う。
【０１１１】
本実施の形態の制御装置３２は、ステップＳ２７からステップＳ４０を繰り返し実施する。湯張り追い焚き制御部３２ａは、沸き上げ禁止制御部３２ｇによってヒートポンプユニット１による水の沸き上げが禁止されている時に蓄熱量が第２規定熱量を下回ると、湯張り動作及び追い焚き動作を禁止する。
【０１１２】
湯張り追い焚き制御部３２ａは、例えば湯張り動作を禁止している際にリモートコントローラー３３から湯張り動作を開始するように指示を受けた場合、指示を拒絶する。湯張り追い焚き制御部３２ａは指示を拒絶すると、湯張り手段の一例である風呂給湯側混合弁９及び電磁弁１０に湯張りを行わせない。
【０１１３】
同様に湯張り追い焚き制御部３２ａは、例えば追い焚き動作を禁止している際にリモートコントローラー３３から追い焚き動作を開始するように指示を受けた場合、指示を拒絶する。湯張り追い焚き制御部３２ａは指示を拒絶すると、追い焚き手段の一例であるタンク循環ポンプ６及び風呂循環ポンプ７に、浴槽の中の水を加温させない。
【０１１４】
また湯張り追い焚き制御部３２ａは、例えば湯張り動作が実施されている最中に湯張り動作の禁止をした場合、湯張り動作を中止させる。同様に湯張り追い焚き制御部３２ａは、例えば追い焚き動作が実施されている最中に追い焚き動作の禁止をした場合、追い焚き動作を中止させる。
【０１１５】
本実施の形態であれば、ヒートポンプユニット１による水の沸き上げの禁止中に、貯湯タンク３内に十分な熱量が確保されていない状態で湯張り動作及び追い焚き動作が実施されることが防止される。これにより、湯切れが発生する可能性が低減される。なお図４において規定時刻は夜間時間帯の開始時刻となっている。規定時刻は、実施の形態１及び実施の形態２と同様に、夜間時間帯の開始時刻以外の時刻としてもよい。
【０１１６】
実施の形態４．
次に、本発明の実施の形態４について説明する。本実施の形態の給湯機の構成は、実施の形態１、実施の形態２及び実施の形態３と同様に図１で示される。図５は、本実施の形態の制御装置３２の制御手順を示すフローチャートである。図５のステップＳ４１からステップＳ４３は、実施の形態１のステップＳ１からステップＳ３に相当する。ステップＳ４６からステップＳ４８は、実施の形態１のステップＳ５からステップＳ７に相当する。ステップＳ４９からステップＳ５３は、実施の形態１のステップＳ８からステップＳ１２に相当する。
【０１１７】
ステップＳ４１からステップＳ４３の動作は、実施の形態１のステップＳ１からステップＳ３の動作と同様のため、説明を省略する。制御装置３２は、ステップＳ４３で現在時刻が設定開始時刻に到達していると判定した場合、沸き上げ禁止制御部３２ｇによって、蓄熱量が第３規定熱量以上であるか判定する（ステップＳ４４）。
【０１１８】
第３規定熱量は、ヒートポンプユニット１による水の沸き上げが禁止されている際に使用されることが予測される熱量として設定される。第３規定熱量は、沸き上げ禁止制御部３２ｇに予め設定される。なお第３規定熱量は、リモートコントローラー３３によって任意の熱量として設定されるとしてもよい。
【０１１９】
沸き上げ禁止制御部３２ｇは、蓄熱量が第３規定熱量以上であると判定した場合、ヒートポンプユニット１による水の沸き上げを禁止する（ステップＳ４５）。沸き上げ禁止制御部３２ｇは、ヒートポンプユニット１による水の沸き上げを禁止すると、現在時刻が夜間時間帯であるか判定する（ステップＳ４６）。ステップＳ４６からステップＳ４８の動作は、実施の形態１のステップＳ５からステップＳ７の動作と同様のため、説明を省略する。
【０１２０】
制御装置３２は、ステップＳ４４で蓄熱量が第３規定熱量を下回っていると判定した場合、昼間沸き上げ制御部３２ｆによって、蓄熱量が起動熱量を下回っているか判定する（ステップＳ４９）。ステップＳ４９からステップＳ５３の動作は、実施の形態１のステップＳ８からステップＳ１２の動作と同様のため、説明を省略する。
【０１２１】
本実施の形態の制御装置３２は、ステップＳ４１からステップＳ５３を繰り返し実施する。沸き上げ禁止制御部３２ｇは、設定開始時刻において蓄熱量が第３規定熱量を下回っている場合にはヒートポンプユニット１による水の沸き上げの禁止を開始しない。沸き上げ禁止制御部３２ｇは、蓄熱量が第３規定熱量以上になった場合にヒートポンプユニット１による水の沸き上げの禁止を開始する。
【０１２２】
本実施の形態であれば、貯湯タンク３に十分な熱量が確保されていない時にヒートポンプユニット１による水の沸き上げが禁止されることが防止される。これにより、湯切れの発生する可能性が低減される。なお図５において規定時刻は夜間時間帯の開始時刻となっている。規定時刻は、実施の形態１、実施の形態２及び実施の形態３と同様に、夜間時間帯の開始時刻以外の時刻としてもよい。
【０１２３】
実施の形態５．
次に、本発明の実施の形態５について説明する。本実施の形態の給湯機の構成は、実施の形態１、実施の形態２、実施の形態３及び実施の形態４と同様に図１で示される。図６は、本実施の形態の制御装置３２の制御手順を示すフローチャートである。図６のステップＳ５４からステップＳ５６は、実施の形態１のステップＳ１からステップＳ３に相当する。ステップＳ５９からステップＳ６１は、実施の形態１のステップＳ５からステップＳ７に相当する。ステップＳ６２からステップＳ６６は、実施の形態１のステップＳ８からステップＳ１２に相当する。
【０１２４】
ステップＳ５４からステップＳ５６の動作は、実施の形態１のステップＳ１からステップＳ３の動作と同様のため、説明を省略する。制御装置３２は、ステップＳ５６で現在時刻が設定開始時刻に到達していると判定した場合、例えば湯張り追い焚き制御部３２ａによって湯張り動作又は追い焚き動作の実績が当日にあるか判定する（ステップＳ５７）。
【０１２５】
制御装置３２は、湯張り動作又は追い焚き動作の実績が当日にあると判定した場合、沸き上げ禁止制御部３２ｇによって、ヒートポンプユニット１による水の沸き上げを禁止する（ステップＳ５８）。沸き上げ禁止制御部３２ｇは、ヒートポンプユニット１による水の沸き上げを禁止すると、現在時刻が夜間時間帯であるか判定する（ステップＳ５９）。ステップＳ５９からステップＳ６１の動作は、実施の形態１のステップＳ５からステップＳ７の動作と同様のため、説明を省略する。
【０１２６】
制御装置３２は、ステップＳ５７で湯張り動作又は追い焚き動作の実績が当日にないと判定した場合、昼間沸き上げ制御部３２ｆによって、蓄熱量が起動熱量を下回っているか判定する（ステップＳ６２）。ステップＳ６２からステップＳ６６の動作は、実施の形態１のステップＳ８からステップＳ１２の動作と同様のため、説明を省略する。
【０１２７】
本実施の形態の制御装置３２は、ステップＳ４１からステップＳ５３を繰り返し実施する。沸き上げ禁止制御部３２ｇは、設定開始時刻において湯張り動作又は追い焚き動作が当日に一度も実施されていない場合には、ヒートポンプユニット１による水の沸き上げの禁止を開始しない。沸き上げ禁止制御部３２ｇは、当日の設定開始時刻から規定時刻までの間で湯張り動作又は追い焚き動作が実施された時点で、ヒートポンプユニット１による水の沸き上げの禁止を開始する。
【０１２８】
湯張り動作及び追い焚き動作は、一般的に多くの熱量を必要とする。このため、ヒートポンプユニット１による水の沸き上げが禁止されている時に湯張り動作及び追い焚き動作が実施された場合、湯切れが発生する可能性がある。
【０１２９】
本実施の形態の沸き上げ禁止制御部３２ｇは、湯張り動作又は追い焚き動作が当日に実施された実績がない場合、ヒートポンプユニット１による水の沸き上げを禁止しない。これにより、ヒートポンプユニット１による水の沸き上げが禁止されている時に湯張り動作及び追い焚き動作が実施されることによる湯切れの発生する可能性が低減される。なお図６において規定時刻は夜間時間帯の開始時刻となっている。規定時刻は、実施の形態１、実施の形態２、実施の形態３及び実施の形態４と同様に、夜間時間帯の開始時刻以外の時刻としてもよい。
【符号の説明】
【０１３０】
１  ヒートポンプユニット、  ２  貯湯ユニット、  ３  貯湯タンク、  ３ａ  ヒートポンプ往き口、  ３ｂ  給水口、  ３ｃ  追い焚き戻り口、  ３ｄ  ヒートポンプ戻り口、  ３ｅ  給湯口、  ３ｆ  追い焚き往き口、  ４  熱交換器、  ５  ヒートポンプ循環ポンプ、  ６  タンク循環ポンプ、  ７  風呂循環ポンプ、  ８  一般給湯側混合弁、  ９  風呂給湯側混合弁、  １０  電磁弁、  １１ａ  第１温度センサ、  １１ｂ  第２温度センサ、  １１ｃ  第３温度センサ、  １１ｄ  第４温度センサ、  １１ｅ  第５温度センサ、  １２  ヒートポンプ往き配管、  １３  ヒートポンプ戻り配管、  １４  加熱循環回路、  １５  貯湯タンク温度センサ、  １６  給水管、  １６ａ  第１分岐点、  １６ｂ  第２分岐点、  １７  給水温度センサ、  １８  給湯管、  １８ａ  第３分岐点、  １９  混合給湯管、  ２０  給湯用流量センサ、  ２１  給湯用温度センサ、  ２２  混合風呂管、  ２３  風呂往き配管、  ２４  風呂用流量センサ、  ２５  風呂用温度センサ、  ２６  風呂循環配管、  ２７  風呂戻り配管、  ２８  風呂循環回路、  ２９  タンク往き配管、  ３０  タンク戻り配管、  ３１  タンク循環回路、  ３２  制御装置、  ３２ａ  湯張り追い焚き制御部、  ３２ｂ  蓄熱量算出部、  ３２ｃ  使用熱量算出部、  ３２ｄ  目標熱量算出部、  ３２ｅ  夜間沸き上げ制御部、  ３２ｆ  昼間沸き上げ制御部、  ３２ｇ  沸き上げ禁止制御部、  ３２ｈ  時刻設定部、  ３３  リモートコントローラー、  ３３ａ  操作部、  ３３ｂ  切り替えスイッチ、  ３３ｃ  表示部
【図１】
0006439599.tif 000002
【図２】
0006439599.tif 000003
【図３】
0006439599.tif 000004
【図４】
0006439599.tif 000005
【図５】
0006439599.tif 000006
【図６】
0006439599.tif 000007